(57)【要約】      （修正有）【課題】開口周縁にカール部を有する縦襞付き絞り紙製容器に関して、該カール部と縦襞を有する周壁部間に不必要な平面状の側壁をなくし、紙製容器の強度を高めると共にデザイン的によりすっきりした見栄えの良い紙製容器を提供する。【解決手段】用紙をその中央における容器底部の周辺から多数の縦襞１ａと共に折り起こし、容器胴部に多数の縦襞１ａを形成して連続凹凸状に絞り形成した縦襞絞り紙製容器において、容器の開口周縁の縦襞の凹凸をつぶし或いは押し広げ又は引き延ばして平らにした開口周縁をそのまま丸め込んでカール部１ｂを形成し、紙製容器１の該縦襞状の周壁に続く開口周縁にカール部１ｂを有する縦襞絞り紙製容器である。【選択図】図１
0003184340.tif 000002
【実用新案登録請求の範囲】
【請求項１】
用紙をその中央における容器底部の周辺から多数の縦襞１ａと共に折り起こし、容器胴部に多数の縦襞１ａを形成して連続凹凸状に絞り形成した縦襞絞り紙製容器において、
容器の開口周縁の縦襞の凹凸をつぶし或いは押し広げ又は引き延ばして平らにした開口周縁をそのまま丸め込んでカール部１ｂを形成し、
紙製容器１の該縦襞状の周壁に続く開口周縁にカール部１ｂを有することを特徴とする縦襞絞り紙製容器。
【請求項２】
用紙をその中央における容器底部の周辺から多数の縦襞１ａと共に折り起こし、容器胴部に多数の縦襞１ａを形成して連続波形に絞り形成した縦襞絞り紙製容器において、
容器の開口周縁の縦襞の波形をつぶし或いは押し広げ又は引き延ばして平らにした開口周縁をそのまま丸め込んでカール部１ｂを形成し、
紙製容器１の該縦襞状の周壁に続く開口周縁にカール部１ｂを有することを特徴とする縦襞絞り紙製容器。
【請求項３】
紙製容器の縦襞状周壁とカール部１ｂとの間の周壁を折り込まずに該縦襞状の周壁に続いて開口周縁にカール部１ｂを有することを特徴とする請求項１又は２のいずれかに記載の縦襞絞り紙製容器。
【考案の詳細な説明】
【技術分野】
【０００１】
本考案は、縦襞絞り紙製容器に関し、特に開口周縁にカール部を有する縦襞絞り容器に関する。
【背景技術】
【０００２】
紙シートの中央部を容器の底部として、その周辺から多数の縦襞を有する周壁としており起こして成形する縦襞絞り紙製容器は、食品のほか多種の商品類を収納することのできる容器であり、例えば食品に関してでは例えば菓子類の焼成用容器のとして使用するものの他、多様に使用できるものである。
この場合縦襞が視覚上のよりよいアクセントとなるばかりでなく襞の弾力により内容物を容器内にとどめる作用を有するものである。
【０００３】
特に襞により容器に収納したものが膨らむものであっても、容器が破断することなく弾力をもってその膨らんだ部分をも包み込んで収納することを可能とする。
この様な容器において欠点としては襞により周壁を構成することから、襞が開いてしまうものとなり、開口周縁部分の強度が低く、変形しやすいことである。
従って、かかる縦襞絞り紙製容器に関して容器自体の強度を高め、型崩れせずに内容物の収納を可能とする紙製容器の提供が望まれている。
【０００４】
特に、大量生産に資するものであり、かつ低廉にかつ簡単に製造できることが要求されることから、係る資質を有することが必要となる。
そこで本考案の考案者が既に提唱する縦襞絞り紙製容器の開口周縁にカール部からなるトップカールを有する容器が用いられている。
例えば本考案の考案者が過去に発明した特開２００３−３３５３１６号（特許文献１）及び実用新案登録第３０９３０４４号（特許文献２）、更には特開２００４−１８９３１７号（特許文献３）が存在する。
【０００５】
このトップカールを有する縦襞絞り紙製容器は開口周縁の強度が増し、開口部の変形を防止して容器自体の変形や襞が開いてしまい周壁部分が倒れることよる内容物のこぼれ出等を防止できる反面、周壁部分は襞が若干開くことにより内容物の膨張など対して膨らんで必要に応じて対応できる極めて有意な縦襞絞り紙製容器の提供を可能とするものである。
【先行技術文献】
【特許文献】
【０００６】
【特許文献１】特開２００３−３３５３１６号
【特許文献２】実用新案登録第３０９３０４４号
【特許文献３】特開２００４−１８９３１７号
【考案の概要】
【考案が解決しようとする課題】
【０００７】
以上の様に、縦襞絞り紙製容器に関してはトップカールを構成することが最も望ましく、係る構成により前記の課題を解決できるものとなる。
しかし、大量生産に資し、かつ低廉にかつ簡単に製造できることが要求されるものである。
従って係る点を解決できる何らかの構造を有する縦襞絞り紙製容器が要望されるものである。
【０００８】
更により強度の高いトップカール部の成形が要望される。
特に従来の縦襞絞り紙製容器は、トップカールを形成するために容器開口周縁を満遍なく外向き上方に広げ起こして容器胴部の上部周辺に横鍔と、この横鍔に連設した縦鍔とを一体成形し、この縦鍔の上部を外向き下方に満遍なく丸め返すものでカール縁辺を形成する縦襞絞り紙製容器よりなるものである。
【０００９】
従って、横鍔を形成し、これに連設した縦鍔を有し、縦鍔部分のみを丸め込んでトップカールを形成するものとなる。
このことは、横鍔と縦鍔との成形を必要とするものであり、襞部分を横方向への引き延ばし或いは圧着等による成形と更には縦方向への同様の引き延ばし或いは圧着等による成形とが必要となる。
【００１０】
横鍔と縦鍔とはほぼ直角状に折り込まれるものであり、この折り部分によって更なる強度を保つことができる反面その形成のための工程が必要となる。
又、角部がしっかりできると前記のように強度が増す反面形成のための工程が必要となるが、その容器自体も横鍔により開口周縁は広がって形成されるものとなり、外観視においてもカール部が横方向に突出して形成されるものとなる。
【００１１】
更にトップカールの形成のため、巻き込みは縦鍔部分のみにおいて行われるものとなり、巻き回数を必要とするとどうしても長さを一定程度取らなければならず、更なる横鍔の長さと合わせて一定程度の範囲で引き延ばし或いは圧着等による成形を必要とするものであり、この長さによって紙製容器の深さがなくなることとなる。
【００１２】
又この横鍔と縦鍔との間がきっちりと角部をもって形成されていないと、横鍔部分が屈曲した或いは曲がった側壁部として一定程度の長さを有するものとなってしまい、外観上の見栄えがあまり良くないものとなりかねない。
このことよりこの様なより簡単にかつ見栄えのあるトップカールを有する容器の提供を可能とし、紙製容器の縦襞の側壁である周壁の長さを充分に保てる何らかの紙製容器の提供が望まれているものである。
【００１３】
トップカール部と縦襞の周壁部分の間に冗長な平面壁部を有すると、その部分は単なる平面となるものであると共にその部分にちょうど連設部分となることから撓みやすく容器の強度を保つ上では何らかの修正が望まれるものである。
従ってトップカールからそのまま紙製容器の周壁につなげることが要請されるものであって、これにより容器自体の強度を増すことができる優れた縦襞付き紙製容器の提供を可能とするものである。
【課題を解決するための手段】
【００１４】
以上のように係る課題を見事に解決するため、請求項１に係る考案は、用紙をその中央における容器底部の周辺から多数の縦襞と共に折り起こし、容器胴部に多数の縦襞を形成して連続凹凸に絞り形成した縦襞絞り紙製容器において、容器の開口周縁の縦襞の凹凸をつぶし或いは押し広げ又は引き延ばして平らにした開口周縁をそのまま丸め込んでカール部を形成し、紙製容器の該縦襞状の周壁に続く開口周縁にカール部を有する縦襞絞り紙製容器を提供するものであり、係る考案によって前記課題を解決できる。
【００１５】
或いは、請求項２に係る考案のように用紙をその中央における容器底部の周辺から多数の縦襞と共に折り起こし、容器胴部に多数の縦襞を形成して連続波形に絞り形成した縦襞絞り紙製容器において、容器の開口周縁の縦襞の波形をつぶし或いは押し広げ又は引き延ばして平らにした開口周縁をそのまま丸め込んでカール部を形成し、紙製容器の該縦襞状の周壁に続く開口周縁にカール部を有する縦襞絞り紙製容器を用いてもよい。
【００１６】
これらの場合、請求項３に係る考案のように紙製容器の縦襞状周壁とカール部との間の周壁を折り込まずに該縦襞状の周壁に続いて開口周縁にカール部を有する縦襞絞り紙製容器を用いてもよい。
【考案の効果】
【００１７】
以上のように構成したことから、縦襞絞り紙製容器の縦襞状の側壁から横鍔及び縦鍔を有さずにそのまま丸めこんだカール部を形成した紙製容器の提供ができるものとなり、横鍔及び縦鍔を有する必要のない紙製容器を提供できる。
【００１８】
従って、すっきりとした見栄えの良い縦襞絞り紙製容器の提供を可能とする。
特に横鍔と縦鍔部分より紙製容器の周縁とトップカールとの間が狭くなることよりその部分により生ずる恐れのある撓み等を解消できることとなる。
【図面の簡単な説明】
【００１９】
【図１】本考案に係る縦襞絞り紙製容器の一例を示す図
【図２】本考案に係る縦襞絞り紙製容器の開口周縁部の縦襞を引き延ばし平らにした一例を示す図
【図３】本考案に係る縦襞絞り紙製容器の成形状態の一例を示す図
【図４】本考案に係る縦襞絞り紙製容器の成形状態の一例を示す図
【図５】本考案に係る縦襞絞り紙製容器の一例の切断部端面図を示す図
【考案を実施するための形態】
【００２０】
図１は、本考案に係る縦襞絞り紙製容器１を示す図であり、紙シートの中央部を容器の底部として、その周辺から多数の縦襞１ａを有する周壁としており起こして成形する縦襞絞り紙製容器からなる。
この周壁は、連続波形又は凹凸状に該容器の胴部周囲に縦襞１ａを形成しているものである。
【００２１】
この紙製容器１の開口部周縁には側壁部分を巻き込んでカール状にしたカール部１ｂ即ちトップカールを有するものである。
通常縦襞絞り形状の紙製容器１は、その中央部を容器の底部として周壁部分を折り起こすと共に縦襞状に多数の折り込み或いは波形を入れた状態で成形されるものであり、例えば雌型の金型内に紙シートを置いた上で雄型の金型を押圧プレスすることにより成形するものである。
【００２２】
この様に成形した縦襞絞り紙製容器１は、縦襞部１ａを有することからこの部分が必要に応じて膨らむと共に更に縦襞の折り込み弾力によって膨らんだ状態から収縮方向に圧が加わり、容器内にとどめる力が働くものである。
従って物を収納するに際してその容積を大きくするもの等において、容器の破損を防止すると共に内部に収納しておく作用を有するものである。
【００２３】
このため焼き菓子やパンの焼成などに多用されているものである。
しかし、この様な多数の縦襞を有することから逆にこの縦襞によって容器の開口部が開きやすくなっており、変形しやすいものとなる。
そこで係る容器の変形を防止しつつ、内容物が膨脹した場合で、その周壁の縦襞によってその膨張に応じて襞を開くことのできる容器の提供のため、特に開口部にカール部即ちトップカールを有する紙製容器を提供するものである。
【００２４】
従って、本図に示すようにその周壁は縦襞によって構成されているものである。
この縦襞の間隔としては１ミリ以下から約４ミリ程度の幅を有する縦襞を多数設けた構成であり、例えば１．５ミリ乃至２．７ミリ程度感が最も製造しやすくかつ使いやすい紙製容器の提供ができる。
紙自体に関しては、容器が小型のカップ状の容器として考えると小型の紙製容器であればよいことから薄手の紙を用いることが最適である。
【００２５】
但し、より大きい容器を形成するに際してはより厚手の紙を用いてもよいことはもちろんである。
尚、開口周縁で容器の開口周縁部分を丸め込んでカール部１ｂを構成することから薄手の紙を用いた方が丸め込みやすいものである。
【００２６】
次に図２は、紙シートの中央部を容器の底部として、その周辺から多数の縦襞を有する周壁としており起こして成形した状態の一例を表す図であり、周壁部分には縦襞を有するが、開口周縁部分の縦襞をつぶして平らな円筒状に形成した状態を示す図である。
従って、この状態では開口周縁にはまだトップカールは構成されていない。
【００２７】
即ち周壁全体に縦襞を有アする状態から開口周縁のカール部構成のために、開口周縁部分に関しては縦襞の凹凸をなくしてカールしやすいように押しつぶし或いは押し広げ、又は引き延ばして平らにすることが必要である。
この場合縦襞等を若干残してそのまま押しつぶし、又はプレスして皺等を有する状態で平らにするものであってもよい、
もとより縦襞をそのまま押しつぶして重なり合った状態で平らにするものであってもよい。
或いは、引き伸ばし、押し広げ等することにより平らにするものであってももちろんよい。
【００２８】
この様に押し広げた状態にするためのプレス工程の一例を図３及び図４に示す。
本図のように構成することにより紙製容器の胴部よりやや開いた状態で該容器の開口周縁部分の縦襞を加圧により引き延ばして、或いは押し潰して平らな面に構成できる。
従って表面に襞のない円筒形状を形成できるものとなる。
【００２９】
或いは、皺も含めて押し潰して平面状の平らにするものであってももちろんよい。
即ち図３に示すように周壁全体に縦襞を有する紙製容器１を雌型２に入れた上で押さえるためのダイ３により押えこむ。
この様に装着すると該雌型に入れた状態で該紙製容器の開口周縁部分が容器の周壁形状のまま型から突出する。
【００３０】
更に図４に示すように該突出している紙製容器１の開口周縁部分を雌型２の押え具２ａを移動してダイ３の円筒状の押え部３ａとで挟み込んで押し潰すものである。
この場合押え具２ａは円筒状の雌型２の周縁部分においてその軸芯に沿って平行に移動するものである。
【００３１】
図示上は上下動するものであり、下方から上方に移動することにより紙製容器の突出した開口周縁を挟み込むものであり、突出方向に押し潰してきれいに平らに形成できるものとなる。
特にこの様に押し潰すことにより該紙製容器の開口周縁周辺に不必要な段差や角部を形成せずに略円筒状の平らな面の周縁部分を形成できる。
この曲面からなる平らな面であることは、この部分を丸め込むことを容易にするものである。
【００３２】
図５は、この様にして開口部周縁を丸め込んでカールし、カール部１ｂを形成してトップカールを有する紙製容器の一例を示す図である。
本図に示すように縦襞付き紙製容器の開口部周縁を平らにし、この部分を丸め込んでカール部１ｂを形成しているものであって、このカール部１ｂにはこのまま縦襞１ａを有する紙製容器の周壁につながるものである。
【００３３】
尤も縦襞１ａによって紙製容器の周壁が凹凸を有するものであり、この凹凸部分を避けて平面部分においてカール部１ｂを構成するものであってももちろんよい。
これによりカール部１ｂと周壁部分とが連設して形成されるものであり、その構成上両者間に若干の平面状の部分を有するものであってもよい。
この構成により縦襞の周壁に連設したトップカールを形成し、見栄えの良さばかりでなくその強度を高く保つことができるものとなる。
【００３４】
従って用紙をその中央における容器底部の周辺から多数の縦襞と共に折り起こし、容器胴部に多数の縦襞を形成して連続波形或いは凹凸状に絞り形成した縦襞絞り紙製容器であり、この容器の開口周縁の縦襞の波形或いは凹凸部分をつぶし或いは押し広げ又は引き延ばして平らにした開口周縁をそのまま丸め込んでカール部１ｂを形成するものである。
【００３５】
以上のように紙製容器の該縦襞状の周壁に続く開口周縁にカール部１ｂを有するものとなり、縦襞状周壁とカール部１ｂとの間の周壁を折り込まずに該縦襞状の周壁に続いて開口周縁にカール部１ｂを有する縦襞絞り紙製容器の提供を可能とするものである。
【符号の説明】
【００３６】
１      紙製容器
１ａ    縦襞
１ｂ    カール部
２      雌型
２ａ    押え具
３      ダイ
３ａ    円筒状押え部
【図１】
0003184340.tif 000003
【図２】
0003184340.tif 000004
【図３】
0003184340.tif 000005
【図４】
0003184340.tif 000006
【図５】
0003184340.tif 000007